(57)【要約】【課題】補助電源発生装置の提供。【解決手段】ろ波電源回路に応用され、主作業電源出力端（ＰＬ１）及び接地端（ＧＮＤ）を具えた補助電源発生装置において、第１電圧安定化コンデンサ、及び第１ダイオードを介して該第１電圧安定化コンデンサに接続された第２電圧安定化コンデンサを具え、該第１電圧安定化コンデンサと該第２電圧安定化コンデンサがコンデンサ分圧回路を形成する。該第１電圧安定化コンデンサと該第１ダイオードの間の第１連接点に、短絡素子と、電流導通方向が該短絡素子と逆である第２ダイオードが接続され、該短絡素子は制御端を具え、並びに該制御端で第１ツェナーダイオードに接続され、該第１ツェナーダイオードにさらに適宜抵抗値の第１抵抗器が接続され、該第１抵抗器がさらに該第２電圧安定化コンデンサ及び該第１ダイオードの間の第２連接点に接続される。【選択図】図２
2013141392.tif 000002
【特許請求の範囲】
【請求項１】
ろ波電源回路に応用され、主作業電源出力端（ＰＬ１）及び接地端（ＧＮＤ）を具えた補助電源発生装置において、
該主作業電源出力端（ＰＬ１）に接続された第１電圧安定化コンデンサ（Ｃ１）を具え、該第１電圧安定化コンデンサ（Ｃ１）の他端に、第１ダイオード（Ｄ１）が接続され、並びに該第１ダイオード（Ｄ１）が第２電圧安定化コンデンサ（Ｃ２）に接続され、該第２電圧安定化コンデンサ（Ｃ２）の他端に該接地端（ＧＮＤ）が接続され、こうして該第１電圧安定化コンデンサ（Ｃ１）及び該第２電圧安定化コンデンサ（Ｃ２）がコンデンサ分圧回路を形成する一方で、
該第１電圧安定化コンデンサ（Ｃ１）と該第１ダイオード（Ｄ１）の間の第１連接点（Ｐ１）に、制御端（Ｐ２）を有して、該制御端（Ｐ２）が導通して該接地端（ＧＮＤ）と短絡を形成する短絡素子（Ｓ１）、及び、電流導通方向が該短絡素子（Ｓ１）とは逆である第２ダイオード（Ｄ２）が接続され、
該短絡素子（Ｓ１）が該制御端（Ｐ２）で第１ツェナーダイオード（Ｄ３）に接続され、該第１ツェナーダイオード（Ｄ３）の他端に、適宜抵抗値の第１抵抗器（Ｒ１）が接続され、該第１抵抗器（Ｒ１）の他端に、該第２電圧安定化コンデンサ（Ｃ２）及び該第１ダイオード（Ｄ１）の間の第２連接点（Ｐ３）が接続されたことを特徴とする、補助電源発生装置。
【請求項２】
請求項１記載の補助電源発生装置において、バレーフィル（ｖａｌｌｅｙ−ｆｉｌｌ）力率改善回路をさらに包含し、該第１電圧安定化コンデンサ（Ｃ１）は該バレーフィル力率改善回路所属の部品の一つであり、該バレーフィル力率改善回路が具備する第３ダイオード（Ｄ５）により該主作業電源出力端（ＰＬ１）と接続されたことを特徴とする、補助電源発生装置。
【請求項３】
請求項１記載の補助電源発生装置において、該ろ波電源回路にブリッジ整流回路（ＢＤ１）が接続され、該補助電源発生装置は、該ブリッジ整流回路（ＢＤ１）に接続されたディザリング回路（Ｄｉ）を包含し、該ディザリング回路（Ｄｉ）は該第１電圧安定化コンデンサ（Ｃ１）と該主作業電源出力端（ＰＬ１）の間に接続された第４ダイオード（Ｄ６）、該第４ダイオード（Ｄ６）及び該ブリッジ整流回路（ＢＤ１）に接続された第５ダイオード（Ｄ７）、該第４ダイオード（Ｄ６）と該第５ダイオード（Ｄ７）の間に設けられた第３連接端（Ｐ４）に接続された抵抗回路（Ｚ）を包含することを特徴とする、補助電源発生装置。
【請求項４】
請求項２記載の補助電源発生装置において、該ろ波電源回路にブリッジ整流回路（ＢＤ１）が接続され、該補助電源発生装置は、該補助電源発生装置は、該ブリッジ整流回路（ＢＤ１）に接続されたディザリング回路（Ｄｉ）を包含し、該ディザリング回路（Ｄｉ）は該第１電圧安定化コンデンサ（Ｃ１）と該主作業電源出力端（ＰＬ１）の間に接続された第４ダイオード（Ｄ６）、該第４ダイオード（Ｄ６）及び該ブリッジ整流回路（ＢＤ１）に接続された第５ダイオード（Ｄ７）、該第４ダイオード（Ｄ６）と該第５ダイオード（Ｄ７）の間に設けられ第３連接端（Ｐ４）に接続された抵抗回路（Ｚ）を包含することを特徴とする、補助電源発生装置。
【発明の詳細な説明】
【技術分野】
【０００１】
本発明は一種の補助電源発生装置に係り、特に一種の、高電圧側スイッチに適用され、ＬＥＤ照明を制御する集積回路或いはモータを制御する集積回路が使用する補助直流電力を提供できる力率校正回路を指す。
【背景技術】
【０００２】
現在、集積回路が通電され動作するとき、主要作業電源のほかに、さらに少なくとも一つの低電圧の補助直流電力を組み合わせる必要がある。しかし、通電動作中に上述の補助直流電力を取得するためには、一般に集積回路はいずれも集積回路内に補助電源回路をレイアウトして、補助直流電力を発生させなければならない。
【０００３】
上述の補助直流電力を発生させる方法には多くあり、並びにそれぞれの回路の違いに応じて異なる実施方式がある。たとえば、力率改善回路（ＰＦＣ回路）の作動を制御する集積回路に提供される補助直流電力は、チョークコイル内に補助コイルを巻き付ける実施方式があり、チョークコイルを利用して整流過程中の交流電源を該補助電源回路にカプリングする。
【０００４】
並びに図１に示されるように、上述の実施例のほか、コンデンサＣとブリッジ整流回路ＢＤ１の接続を利用し、整流後の電源を該コンデンサＣに対して充電し、該コンデンサＣに充電された電源で該補助直流電力を形成する。
【０００５】
さらに、一般に集積回路中には、該補助電源回路を動作させるための制御用集積回路が必要であり、その動作上、数ミリアンペア（ｍＡ）の僅かな小電流の補助直流電源が必要である。しかし、一般に補助電源回路が発生する該補助直流電力は、通常、大電流を具え、大きすぎる電流は、不必要な損耗を発生し得るほか、上述の制御用集積回路及びその関係部品を過熱させやすい。
【０００６】
このほか、もし電源入力端（交流入力端）に大幅な変化が発生するとき、上述の実施方式は該補助直流電力の安定を確保できない。しかし、該補助直流電源を発生する専用の集積回路（ＩＣ）を有していても、上述の集積回路は比較的小さな電流の該補助直流電源を発生させられず、安全規範を逸脱してしまう。
【先行技術文献】
【特許文献】
【０００７】
【特許文献１】実公平０１−０１９５６４号公報
【発明の概要】
【発明が解決しようとする課題】
【０００８】
本発明の主要な目的は、簡単な回路構造で小電流の補助直流電力を提供することにある。
【課題を解決するための手段】
【０００９】
請求項１の発明は、ろ波電源回路に応用され、主作業電源出力端（ＰＬ１）及び接地端（ＧＮＤ）を具えた補助電源発生装置において、
該主作業電源出力端（ＰＬ１）に接続された第１電圧安定化コンデンサ（Ｃ１）を具え、該第１電圧安定化コンデンサ（Ｃ１）の他端に、第１ダイオード（Ｄ１）が接続され、並びに該第１ダイオード（Ｄ１）が第２電圧安定化コンデンサ（Ｃ２）に接続され、該第２電圧安定化コンデンサ（Ｃ２）の他端に該接地端（ＧＮＤ）が接続され、こうして該第１電圧安定化コンデンサ（Ｃ１）及び該第２電圧安定化コンデンサ（Ｃ２）がコンデンサ分圧回路を形成する一方で、
該第１電圧安定化コンデンサ（Ｃ１）と該第２電圧安定化コンデンサ（Ｃ２）の間の第１連接点（Ｐ１）に、制御端（Ｐ２）を有して、該制御端（Ｐ２）が導通して該接地端（ＧＮＤ）と短絡を形成する短絡素子（Ｓ１）、及び、電流導通方向が該短絡素子（Ｓ１）とは逆である第２ダイオード（Ｄ２）が接続され、
該短絡素子（Ｓ１）が該制御端（Ｐ２）で第１ツェナーダイオード（Ｄ３）に接続され、該第１ツェナーダイオード（Ｄ３）の他端に、適宜抵抗値の第１抵抗器（Ｒ１）が接続され、該第１抵抗器（Ｒ１）の他端に、該第２電圧安定化コンデンサ（Ｃ２）及び該第１ダイオード（Ｄ１）の間の第２連接点（Ｐ３）が接続されたことを特徴とする、補助電源発生装置としている。
請求項２の発明は、請求項１記載の補助電源発生装置において、バレーフィル（ｖａｌｌｅｙ−ｆｉｌｌ）力率改善回路をさらに包含し、該第１電圧安定化コンデンサ（Ｃ１）は該バレーフィル力率改善回路所属の部品の一つであり、該バレーフィル力率改善回路が具備する第３ダイオード（Ｄ５）により該主作業電源出力端（ＰＬ１）と接続されたことを特徴とする、補助電源発生装置としている。
請求項３の発明は、請求項１記載の補助電源発生装置において、該ろ波電源回路にブリッジ整流回路（ＢＤ１）が接続され、該補助電源発生装置は、該ブリッジ整流回路（ＢＤ１）に接続されたディザリング回路（Ｄｉ）を包含し、該ディザリング回路（Ｄｉ）は該第１電圧安定化コンデンサ（Ｃ１）と該主作業電源出力端（ＰＬ１）の間に接続された第４ダイオード（Ｄ６）、該第４ダイオード（Ｄ６）及び該ブリッジ整流回路（ＢＤ１）に接続された第５ダイオード（Ｄ７）、該第４ダイオード（Ｄ６）と該第５ダイオード（Ｄ７）の間に設けられた第３連接端（Ｐ４）に接続された抵抗回路（Ｚ）を包含することを特徴とする、補助電源発生装置としている。
請求項４の発明は、請求項２記載の補助電源発生装置において、該ろ波電源回路にブリッジ整流回路（ＢＤ１）が接続され、該補助電源発生装置は、該補助電源発生装置は、該ブリッジ整流回路（ＢＤ１）に接続されたディザリング回路（Ｄｉ）を包含し、該ディザリング回路（Ｄｉ）は該第１電圧安定化コンデンサ（Ｃ１）と該主作業電源出力端（ＰＬ１）の間に接続された第４ダイオード（Ｄ６）、該第４ダイオード（Ｄ６）及び該ブリッジ整流回路（ＢＤ１）に接続された第５ダイオード（Ｄ７）、該第４ダイオード（Ｄ６）と該第５ダイオード（Ｄ７）の間に設けられ第３連接端（Ｐ４）に接続された抵抗回路（Ｚ）を包含することを特徴とする、補助電源発生装置としている。
【発明の効果】
【００１０】
本発明は、その記載された回路構成により、周知の実施方式と比較して、以下の特徴を有する。
１．電流値が小さい補助直流電力を発生する。
２．外部交流電力源の変化の影響を受けず、すなわち、安定した出力を行える。
【図面の簡単な説明】
【００１１】
【図１】周知の補助電源発生回路の回路表示図である。
【図２】本発明の補助電源発生回路の第１実施例の回路表示図である。
【図３】本発明の補助電源発生回路の第１実施例の漣波電圧波形表示図である。
【図４】本発明の補助電源発生回路の第２実施例の回路表示図である。
【図５】本発明の補助電源発生回路の第３実施例の回路表示図である。
【図６】本発明の補助電源発生回路の第４実施例の回路表示図である。
【図７】本発明の補助電源発生回路の第５実施例の回路表示図（一）である。
【図８】本発明の補助電源発生回路の第５実施例の回路表示図（二）である。
【図９】本発明の補助電源発生回路の第６実施例の回路表示図である。
【図１０】本発明の補助電源発生回路の第７実施例の回路表示図（一）である。
【図１１】本発明の補助電源発生回路の第７実施例の回路表示図（二）である。
【発明を実施するための形態】
【００１２】
上述の目的を達成するため、本発明は一種の補助電源発生回路を提供し、それは主作業電源出力端と接地端を具えたろ波電源回路に応用され、該補助電源発生回路は、該主作業電源出力端に接続された第１電圧安定化コンデンサを具え、該第１電圧安定化コンデンサの他端に、第１ダイオードが接続され、並びに該第１ダイオードが第２電圧安定化コンデンサに接続され、該第２電圧安定化コンデンサの他端に該接地端が接続され、こうして該第１電圧安定化コンデンサ及び該第２電圧安定化コンデンサがコンデンサ分圧回路を形成する。
【００１３】
一方で、該第１電圧安定化コンデンサと該第２電圧安定化コンデンサの間の第１連接点に、制御端を有して、該制御端が導通して該接地端と短絡を形成する短絡素子、及び、電流導通方向が該短絡素子とは逆である第２ダイオードが接続される。
【００１４】
該短絡素子が該制御端で第１ツェナーダイオードに接続され、該第１ツェナーダイオードの他端に、適宜抵抗値の第１抵抗器が接続され、該第１抵抗器の他端に、該第２電圧安定化コンデンサ及び該第１ダイオードの間の第２連接点が接続される。
【００１５】
ある実施例において、該ろ波電源回路はさらに、バレーフィル（ｖａｌｌｅｙ−ｆｉｌｌ）力率改善回路をさらに包含し、該第１電圧安定化コンデンサは該バレーフィル力率改善回路所属の部品の一つであり、該バレーフィル力率改善回路が具備する第３ダイオードにより該主作業電源出力端に接続される。
【００１６】
ある実施例において、該ろ波電源回路にブリッジ整流回路が接続され、該補助電源発生回路は、該ブリッジ整流回路に接続されたディザリング回路を包含する。さらには、該ディザリング回路は該第１電圧安定化コンデンサと該主作業電源出力端の間に接続された第４ダイオード、該第４ダイオード及び該ブリッジ整流回路に接続された第５ダイオード、該第４ダイオードと該第５ダイオードの間に設けられた第３連接端に接続された抵抗回路を包含する。
【００１７】
具体的に説明すると、該抵抗回路は、インダクタ及び該インダクタに直列接続されたコンデンサで構成される。
【００１８】
本発明の技術内容、構造特徴、達成する目的をより詳細に説明するため、以下に実施例を挙げ並びに図面を組み合わせて説明する。
【００１９】
図２を参照されたい。本発明の補助電源発生回路は、ろ波電源回路中に応用され、該ろ波電源回路は外部交流電力源を受け取り電力変換を実行するブリッジ整流回路（ＢＤ１）に接続され、主作業電源を出力する主作業電源出力端（ＰＬ１）及び接地端（ＧＮＤ）を具えている。
【００２０】
該補助電源発生回路はすなわち、該主作業電源出力端（ＰＬ１）に接続された第１電圧安定化コンデンサ（Ｃ１）を具え、該第１電圧安定化コンデンサ（Ｃ１）の他端に、第１ダイオード（Ｄ１）が接続され、且つ、該第１ダイオード（Ｄ１）を介して第２電圧安定化コンデンサ（Ｃ２）に接続される。
【００２１】
該第２電圧安定化コンデンサ（Ｃ２）の他端に該接地端（ＧＮＤ）が接続され、こうして該第１電圧安定化コンデンサ（Ｃ１）及び該第２電圧安定化コンデンサ（Ｃ２）がコンデンサ分圧回路を形成する。
【００２２】
一方で、該第１電圧安定化コンデンサ（Ｃ１）と該第１ダイオード（Ｄ１）の間の第１連接点（Ｐ１）に、短絡素子（Ｓ１）と、電流導通方向が該短絡素子（Ｓ１）と逆である第２ダイオード（Ｄ２）が接続される。
【００２３】
該短絡素子（Ｓ１）は制御端（Ｐ２）を有して、該制御端（Ｐ２）は導通を受けて該接地端（ＧＮＤ）と短絡を形成する。
【００２４】
該短絡素子（Ｓ１）は、サイリスタ（Ｓｉｌｉｃｏｎ−Ｃｏｎｔｒｏｌｌｅｄ  Ｒｅｃｔｉｆｉｅｒ，ＳＣＲ）、ゲートターンオフサイリスタ（ＧＴＯ）、プログラマブルユニジャンクショントランジスタ（Ｐｒｏｇｒａｍｍａｂｌｅ  ｕｎｉｊｕｎｃｔｉｏｎ  ｔｒａｎｓｉｓｔｏｒ，ＰＵＴ）、ユニジャンクショントランジスタ（ｕｎｉｊｕｎｃｔｉｏｎ  ｔｒａｎｓｉｓｔｏｒ，ＵＪＴ）からなる群より一つが選択されるか或いは複数が選択されて組み合わされる。
【００２５】
該短絡素子（Ｓ１）は、該制御端（Ｐ２）を介して第１ツェナーダイオード（Ｄ３）に接続され、該第１ツェナーダイオード（Ｄ３）の他端には、適宜抵抗値の第１抵抗器（Ｒ１）が接続される。
【００２６】
該第１抵抗器（Ｒ１）の他端は該第２電圧安定化コンデンサ（Ｃ２）及び該第１ダイオード（Ｄ１）の間の第２連接点（Ｐ３）に接続される。
【００２７】
図３を参照されたい。さらに具体的に説明すると、該ろ波電源回路が電力変換を実行した後、それが変換した電力は、すなわち一定の漣波電圧を有し、本発明の該補助電源発生回路は、該漣波電圧を利用して補助電源を発生し、該ブリッジ整流回路（ＢＤ１）により整流し出力し、該ブリッジ整流回路（ＢＤ１）が出力する波形が抵波峰時に、該第１電圧安定化コンデンサ（Ｃ１）に対して充電を行ない、並びに該第１ダイオード（Ｄ１）を介して、該第２電圧安定化コンデンサ（Ｃ２）に対して充電を行ない、該第２電圧安定化コンデンサ（Ｃ２）に充電された電力が補助直流電力を形成し、並びに補助作業電源出力端（ＰＬ２）を介して該補助直流電力が出力される。
【００２８】
該第２電圧安定化コンデンサ（Ｃ２）の電圧が漸次上昇し、該第１ツェナーダイオード（Ｄ３）の作業電圧を超過する時、該第１ツェナーダイオード（Ｄ３）は該第２電圧安定化コンデンサ（Ｃ２）より駆動電流を取得し、該短絡素子（Ｓ１）を導通させ、該第２電圧安定化コンデンサ（Ｃ２）は充電不能となる。
【００２９】
すなわち、該第２電圧安定化コンデンサ（Ｃ２）が充電される電力は、第１ツェナーダイオード（Ｄ３）の作業電圧の制限を受けて、安定化電圧を形成する。
【００３０】
このほか、該第２ダイオード（Ｄ２）は該第１電圧安定化コンデンサ（Ｃ１）が放電する時、電流を該第２ダイオード（Ｄ２）を通して流すのに供される。
【００３１】
このほか、短絡素子（Ｓ１）が導通する時に、該第２電圧安定化コンデンサ（Ｃ２）の電圧が依然として上昇し続けるのを防止するため、さらに該第２電圧安定化コンデンサ（Ｃ２）と該補助作業電源出力端（ＰＬ２）の間に、第２ツェナーダイオード（Ｄ４）を接続し、該第２ツェナーダイオード（Ｄ４）によりさらに該補助直流電力の電圧値を制限してもよい。
【００３２】
好ましくは、該第２ツェナーダイオード（Ｄ４）の作業電圧は、該第１ツェナーダイオード（Ｄ３）の作業電圧より高い。
【００３３】
さらに、前述したことからわかるように、本発明は主に漣波電圧を利用して実施され、実際には、該第１電圧安定化コンデンサ（Ｃ１）と該第２電圧安定化コンデンサ（Ｃ２）で該漣波電圧に対して分圧を行ない、これにより、わずかに回路レイアウトの過程中に、該主作業電源出力端（ＰＬ１）に接続された主作業負荷（ＲＬ１）が消費する電流を知りさえすれば、該漣波電圧の大きさを知ることができる。
【００３４】
また一方で、該第１電圧安定化コンデンサ（Ｃ１）が漣波電圧を有する時、該第２電圧安定化コンデンサ（Ｃ２）は同様に、該第１ダイオード（Ｄ１）を介して別の漣波電圧を有する。すなわち、該漣波電圧の電圧は、すなわち、該第１電圧安定化コンデンサ（Ｃ１）と該第２電圧安定化コンデンサ（Ｃ２）の分圧値とされる。
【００３５】
これにより、もし、電圧が比較的小さい該補助直流電力を発生させたければ、該第２電圧安定化コンデンサ（Ｃ２）の容量を増加させ、逆に、もし電圧が比較的大きい該補助直流電力を発生させたければ、該第２電圧安定化コンデンサ（Ｃ２）の容量を減少させることで、予期された電圧値の補助直流電力を獲得できる。
【００３６】
該第２電圧安定化コンデンサ（Ｃ２）も該ろ波電源回路の漣波電圧の影響を受けて漣波を発生するが、本発明の構造により、該外部交流電力源が比較的大きな変化を発生しても、依然として安定した補助直流電力を発生して動作に供し、該補助直流電力は副作業負荷（ＲＬ２）の両端の電位に等しい。
【００３７】
図４を参照されたい。以上からわかるように、該短絡素子（Ｓ１）は、多種類の実施態様を有する。図４の実施例中の該短絡素子（Ｓ１）は、トランジスタ（Ｑ１）とされる。該トランジスタ（Ｑ１）で実施することで、該短絡素子（Ｓ１）が稼働過程中に発生するノイズおよび寄生振動により派生する問題を防止できる。
【００３８】
並びに、図５を参照されたい。該第２ダイオード（Ｄ２）と該接地端（ＧＮＤ）の間にはさらに直列に第２抵抗器（Ｒ２）が接続されてもよく、それにより該短絡素子（Ｓ１）の稼働過程中の電圧変動が緩和される。この実施例中ではわずかに抵抗器の実施方式を以て例としているが、これに制限されるわけではなく、コイルを直列に接続しても同じ効果を発生させられる。
【００３９】
並びに、図６に示されるように、上述の実施態様のほか、該短絡素子（Ｓ１）はまた、電界効果トランジスタ（Ｑ２）（Ｆｉｅｌｄ  ｅｆｆｅｃｔ  ｔｒａｎｓｉｓｔｏｒ，ＦＥＴ）とされてもよく、電界効果トランジスタ構造中の逆方向ダイオードを該第２ダイオード（Ｄ２）の代わりに使用し、甚だしくは、余分に抵抗を直列接続する必要なくして稼働過程中の電圧変化を緩和できる。
【００４０】
図７及び図８を参照されたい。この実施例中、該ろ波電源回路はさらに、バレーフィル（Ｖａｌｌｅｙ  Ｆｉｌｌ）力率改善回路を包含してもよく、該第１電圧安定化コンデンサ（Ｃ１）は、すなわちさらに、該バレーフィル力率改善回路に所属する部品の一つとされ得て、並びに該バレーフィル力率改善回路が具備する第３ダイオード（Ｄ５）を介して該主作業電源出力端（ＰＬ１）と接続を発生する。
【００４１】
本発明が開示する回路構造は、さらに該バレーフィル力率改善回路の組合せにより、より実用的な補助電源発生回路を発生する。
【００４２】
このほか、該バレーフィル力率改善回路に関係する関連実施は、特許文献１より知ることができる。
【００４３】
再び図１を参照されたい。並びに図９も参照されたい。従来の技術中、周知構造の実施方式では、周知の回路構造は、交流９０Ｖ〜１１０Ｖの電圧範囲内で安定した補助直流電力を提供する補助電源発生回路であるが、本発明の記載の回路は、交流２５Ｖ〜１２０Ｖの範囲内で、安定した補助直流電力を発生することができる。
【００４４】
図１０を参照されたい。本発明の該補助電源発生回路は、さらにディザリング（Ｄｉｔｈｅｒｉｎｇ）回路（Ｄｉ）を有し得る。該ディザリング回路（Ｄｉ）は一般に、力率改善に用いられる。本発明中の該ディザリング回路（Ｄｉ）は、該ブリッジ整流回路（ＢＤ１）が出力する電力を持続できるようにするのに用いられる。
【００４５】
該ディザリング回路（Ｄｉ）の実施方式には多くがあり、この実施例では、該ディザリング回路（Ｄｉ）は、第４ダイオード（Ｄ６）、第５ダイオード（Ｄ７）、及び抵抗回路（Ｚ）を包含する。
【００４６】
該第４ダイオード（Ｄ６）は該第１電圧安定化コンデンサ（Ｃ１）及び該主作業電源出力端（ＰＬ１）にそれぞれ接続され、該第５ダイオード（Ｄ７）は該第４ダイオード（Ｄ６）及び該ブリッジ整流回路（ＢＤ１）に接続され、該第４ダイオード（Ｄ６）と該第５ダイオード（Ｄ７）の間には、第３連接端（Ｐ４）があり、該抵抗回路（Ｚ）は該第３連接端（Ｐ４）に接続されて、該第４ダイオード（Ｄ６）と該第５ダイオード（Ｄ７）の間に介装される。
【００４７】
並びに、図１１を参照されたい。該抵抗回路（Ｚ）に交流電源（ＰＳ１）が接続され、並びにその交流電流は該第４ダイオード（Ｄ６）と該第５ダイオード（Ｄ７）の間へと導かれる。
【００４８】
該交流電流はさらに周波数変換回路を駆動するＭＯＳＦＥＴのドレイン電流とされ得て、この実施例中、該抵抗回路（Ｚ）はインダクタ（Ｌ１）と該インダクタ（Ｌ１）に直列に接続された第１コンデンサ（Ｃ３）で構成されるが、これに限定されるわけではなく、昇圧変圧器で実施してもよい。
【００４９】
このほか、また、ダイオード素子等を省略してもよい。該ディザリング回路（Ｄｉ）は該ブリッジ整流回路（ＢＤ１）を流れる電流を続けて流動させられ、これにより、本発明の回路を調光器（dimmer）、例えば、三極管交流スイッチ（Ｔｒｉ−ｅｌｅｃｔｒｏｄｅ  ＡＣ  ｓｗｉｔｃｈ，ＴＲＩＡＣ，トライアック）調光器に応用する時の、該三極管交流スイッチの異常なターンオフを防止できる。さらに、該三極管交流スイッチに平滑な調光効果を発生させることができ、且つ該三極管交流スイッチの電圧を比較的低くすることができる。本発明の該補助電源発生回路はすなわち、有効に補助直流電源を発生することができる。
【００５０】
総合すると、本発明はろ波電源回路中に応用され、第１電圧安定化コンデンサ、及び、第１ダイオードを介して該第１電圧安定化コンデンサに接続された第２電圧安定化コンデンサを具え、該第１電圧安定化コンデンサと該第２電圧安定化コンデンサでコンデンサ分圧回路を形成する。
【００５１】
該第１電圧安定化コンデンサと該第１ダイオードの間の第１連接点には短絡素子と、電流導通方向が該短絡素子と逆である第２ダイオードが接続され、該短絡素子は制御端を具え、並びに該制御端が第１ツェナーダイオードに接続される。該第１ツェナーダイオードはさらに適宜抵抗値の第１抵抗器に接続され、該第１抵抗器はさらに該第２電圧安定化コンデンサ及び該第１ダイオードの間の第２連接点に接続される。上述の構造により安定した出力で且つ電流が小さい補助直流電力を発生する。
【符号の説明】
【００５２】
（ＢＤ１）ブリッジ整流回路
（ＰＬ１）主作業電源出力端
（ＧＮＤ）接地端
（Ｃ１）第１電圧安定化コンデンサ
（Ｃ２）第２電圧安定化コンデンサ
（Ｃ３）第１コンデンサ
（Ｄ１）第１ダイオード
（Ｄ２）第２ダイオード
（Ｄ３）第１ツェナーダイオード
（Ｄ４）第２ツェナーダイオード
（Ｄ５）第３ダイオード
（Ｄ６）第４ダイオード
（Ｄ７）第５ダイオード
（Ｄｉ）ディザリング回路
（Ｌ１）インダクタ
（Ｐ１）第１連接点
（Ｐ２）制御端
（Ｐ３）第２連接点
（Ｐ４）第３連接端
（ＰＳ１）交流電源
（Ｒ１）第１抵抗器
（ＲＬ１）主作業負荷
（ＲＬ２）副作業負荷
（Ｓ１）短絡素子
（Ｑ１）トランジスタ
（Ｑ２）電界効果トランジスタ
（Ｚ）抵抗回路
【図１】
2013141392.tif 000003
【図２】
2013141392.tif 000004
【図３】
2013141392.tif 000005
【図４】
2013141392.tif 000006
【図５】
2013141392.tif 000007
【図６】
2013141392.tif 000008
【図７】
2013141392.tif 000009
【図８】
2013141392.tif 000010
【図９】
2013141392.tif 000011
【図１０】
2013141392.tif 000012
【図１１】
2013141392.tif 000013